(57)【特許請求の範囲】
【請求項１】
操作者の指示に基づいて画像に対して一部領域を指定した複数の指定領域を指定する指定手段と、
前記指定した指定領域のそれぞれに対して、複数の操作者が文字データの入力を行う入力手段と、
前記複数の指定領域を指定領域毎に表示属性を異ならせて表示した前記画像と、前記画像とは別にそれぞれの指定領域に対応する文字データをまとめて表示した文字データ表示部とからなる出力画像を形成する画像形成手段と、
前記文字データの表示属性を、対応する前記指定領域の表示属性に対応して設定する表示属性設定手段と、
を有することを特徴とする画像形成装置。
【請求項２】
前記表示属性設定手段は、互いに対応する前記指定領域と前記文字データの表示属性を同一となるように設定することを特徴とする請求項１に記載の画像形成装置。
【請求項３】
前記指定領域の枠の表示色は指定領域毎に異なっており、
前記表示属性設定手段は、互いに対応する前記指定領域の枠と前記文字データとの表示色を同一となるように設定することを特徴とする請求項１に記載の画像形成装置。
【請求項４】
操作者の指示に基づいて画像に対して一部領域を指定した複数の指定領域を指定手段により指定する指定ステップと、
前記指定した指定領域のそれぞれに対して、複数の操作者が文字データを入力手段により入力する入力ステップと、
前記複数の指定領域を指定領域毎に表示属性を異ならせて表示した前記画像と、前記画像とは別にそれぞれの指定領域に対応する文字データをまとめて表示した文字データ表示部とからなる出力画像を画像形成手段により形成する画像形成ステップと、
前記文字データの表示属性を、対応する前記指定領域の表示属性に対応して表示属性設定手段により設定する表示属性設定ステップと、
をコンピュータに実行させることを特徴とする画像形成プログラム。
【請求項５】
前記表示属性設定ステップは、互いに対応する前記指定領域と前記文字データの表示属性を同一となるように設定することを特徴とする請求項４に記載の画像形成プログラム。
【請求項６】
前記指定領域の枠の表示色は指定領域毎に異なっており、
前記表示属性設定ステップは、互いに対応する前記指定領域の枠と前記文字データとの表示色を同一となるように設定することを特徴とする請求項４に記載の画像形成プログラム。
【発明の詳細な説明】
【０００１】
【発明の属する技術分野】
本発明は、コンピュータにより画像を形成する画像形成プログラム及び画像形成装置に関し、特に、画像と文字データとを同時に形成する画像形成プログラム及び画像形成装置に関する。
【０００２】
【従来の技術】
近年、デジタルカメラの普及により撮影した画像を整理するための画像データベースの利用が拡大してきている。これらの画像データベースはコンピュータにインストールされた画像形成プログラムにより検索や閲覧が行えるようになっている。そして、画像を整理する際には各画像に対応するコメントを入力し、各画像と各画像に対応するコメントとを同時に表示画面に表示して閲覧できるようになっている。
【０００３】
また、インターネットによりアクセス可能なサーバー上に画像データを配してどこからでも画像を閲覧できるサイト（以下、「Ｗｅｂ Ｐｈｏｔｏ サイト」という）が多く開設されている。この場合には、上記の画像形成プログラムはサーバー上に配され、各ユーザーはＷｅｂ Ｐｈｏｔｏ サイトにアクセスすることによって画像データベースを操作できる。
【０００４】
これらのＷｅｂ Ｐｈｏｔｏ サイトでは、不特定の者が画像を閲覧して各画像に対するコメントを送信することができる。そして、各画像と各画像に対応した複数の者によるコメントとを同時に表示画面に表示して閲覧できるようになっている。
【０００５】
【発明が解決しようとする課題】
しかしながら、上記の従来の画像形成プログラムは、各画像に対するコメントを付加できるが、多くのコメントが掲示されると画像のどの部分に対するコメントであるかがわかりにくくなる。このため、画像の一部分についての情報を取得したい場合等に使用勝手が悪い問題があった。
【０００６】
本発明は、ユーザーの使用勝手を向上することのできる画像形成プログラム及び画像形成装置を提供することを目的とする。
【０００７】
【課題を解決するための手段】
上記目的を達成するために本発明の画像形成装置は、操作者の指示に基づいて画像に対して一部領域を指定した複数の指定領域を指定する指定手段と、前記指定した指定領域のそれぞれに対して、複数の操作者が文字データの入力を行う入力手段と、前記複数の指定領域を指定領域毎に表示属性を異ならせて表示した前記画像と、前記画像とは別にそれぞれの指定領域に対応する文字データをまとめて表示した文字データ表示部とからなる出力画像を形成する画像形成手段と、前記文字データの表示属性を、対応する前記指定領域の表示属性に対応して設定する表示属性設定手段と、を有することを特徴としている。
【０００８】
この構成によると、画像データには全体画像のデータと、指定領域の範囲を示すデータと、指定領域内の画像に対するコメント等のデータとが含まれる。所定の操作により指定領域を含む全体画像と文字データとが表示装置や印刷媒体に表示される。この時、複数の指定領域が異なる表示属性で表示され、文字データが対応する指定領域の表示属性に応じて異なる表示属性で表示される。各指定領域の表示属性として、指定領域内の画像を変換する際に使用される色、指定領域の枠線の色・種類・太さ、指定領域の形状、指定領域に付加される記号・文字・図形の色や内容等が可変される。各文字データの表示属性として、文字データの色、文字データに付加される記号・文字・図形の色や内容等が可変される。
【０００９】
また本発明は、前記表示属性変更手段が、互いに対応する前記指定領域と前記文字データの表示属性を同一となるように変更することを特徴としている。
【００１０】
また本発明は、前記指定領域の枠の表示色は指定領域毎に異なっており、前記表示属性変更手段が、互いに対応する前記指定領域の枠と前記文字データとの表示色を同一となるように変更することを特徴としている。
【００１１】
また本発明のコンピュータに実行させる画像形成プログラムは、操作者の指示に基づいて画像に対して一部領域を指定した複数の指定領域を指定手段により指定する指定ステップと、前記指定した指定領域のそれぞれに対して、複数の操作者が文字データを入力手段により入力する入力ステップと、前記複数の指定領域を指定領域毎に表示属性を異ならせて表示した前記画像と、前記画像とは別にそれぞれの指定領域に対応する文字データをまとめて表示した文字データ表示部とからなる出力画像を画像形成手段により形成する画像形成ステップと、前記文字データの表示属性を、対応する前記指定領域の表示属性に対応して表示属性設定手段により設定する表示属性設定ステップと、を有することを特徴としている。
【００１２】
また本発明は、前記表示属性変更ステップが、互いに対応する前記指定領域と前記文字データの表示属性を同一となるように変更することを特徴としている。
また本発明は、前記指定領域の枠の表示色は指定領域毎に異なっており、前記表示属性変更ステップは、互いに対応する前記指定領域の枠と前記文字データとの表示色を同一となるように変更することを特徴としている。
【００１３】
【発明の実施の形態】
以下に本発明の実施形態を図面を参照して説明する。図１〜図６は第１実施形態の画像形成プログラムの動作を示すフローチャートである。本実施形態の画像形成プログラムは、インターネットサーバーに設けられている。サーバー上に開設されたＷｅｂ Ｐｈｏｔｏ サイトにインターネットを介してアクセスして該画像形成プログラムを操作できるようになっている。
【００１４】
まず、ユーザーは任意のＷｅｂブラウザによりＷｅｂ Ｐｈｏｔｏ サイトにアクセスする（ステップ＃１１）。これにより、画像形成プログラムが起動され、ステップ＃１２で、図７に示すようなログイン画面１０が表示画面に表示される。
【００１５】
ユーザーが既にユーザーＩＤを取得している場合は、ユーザーはユーザーＩＤ及びパスワードをそれぞれテキストボックス１１、１２に入力した後、ＧＯボタン１３を選択すると、ログインすることができる（ステップ＃１３）。これにより、ステップ＃１５に移行して図２に示す「フォルダー選択」処理が呼出される。尚、終了ボタン１５を選択すると、画像形成プログラムが終了する。
【００１６】
ユーザーがユーザーＩＤをまだ取得していない場合は、ユーザー登録ボタン１４を選択するとステップ＃１４に移行し、図８に示すユーザー登録画面２０が表示画面に表示される。ユーザーは、姓、名、メールアドレスをそれぞれテキストボックス２１、２２、２３に入力する。
【００１７】
また、所望のユーザーＩＤ及びパスワードをそれぞれテキストボックス２４、２５に入力した後、テキストボックス２６に再度パスワードを入力してパスワードの確認を行う。その後、ユーザー登録ボタン２７を選択するとログインすることができ、ステップ＃１５に移行して図２の「フォルダー選択」処理が呼出される。尚、終了ボタン２８を選択すると、画像形成プログラムが終了する。
【００１８】
「フォルダー選択」処理では、図９に示すようなフォルダー選択画面３０が表示される。フォルダー選択画面３０内には、リストボックス３２が設けられる。リストボックス３２には画像ファイルが保存されたフォルダー名の一覧が表示され、ユーザーはスクロールバー３１によりスクロールしてフォルダーを閲覧することができる。
【００１９】
図２において、ステップ＃１６ではイベントが発生したか否かが監視され、イベントが発生すると各イベントに対応した処理が行われるようになっている。ユーザーはスクロールバー３１によりスクロールして所望のフォルダーを選択状態にする。そして、選択ボタン３３を選択するとステップ＃１７に移行し、図３に示す「画像一覧」処理が呼出される。戻るボタン３４を選択すると、ステップ＃１８に移行して図７のログイン画面１０に戻る。終了ボタン３５を選択すると、画像形成プログラムを終了することができる。
【００２０】
「画像一覧」処理では、図１０に示すような画像一覧画面４０が表示され、選択されたフォルダー内の画像ファイルが一覧表示される。画像一覧画面４０内には、リストボックス４１が設けられる。リストボックス４１には、インターネットサーバー上のデータベースに保存された画像ファイルの画像が縮小表示され、ユーザーはスクロールバー４４の操作によりスクロールして画像を閲覧することができる。
【００２１】
図３において、ステップ＃２１ではイベントが発生したか否かが監視され、イベントが発生すると各イベントに対応した処理が行われる。アップロードボタン４８を選択すると、ステップ＃２２に移行して図１１に示すファイル指定画面６０が表示される。ファイル指定画面６０は画像ファイルの指定ができるようになる。
【００２２】
ファイル指定画面６０には、インターネットのサーバー上にアップロードする画像ファイルのファイル名を入力する複数のテキストボックス６１が設けられる。ユーザーはローカルフォルダに保存された画像ファイルのファイル名をテキストボックス６１に入力する。また、参照ボタン６２の操作によりローカルフォルダ内から画像ファイルを検索してテキストボックス６１にファイル名を入力できるようになっている。
【００２３】
ファイル名の入力後に実行ボタン６４を選択すると、ステップ＃２３で指定ファイルがアップロードされ、Ｗｅｂ Ｐｈｏｔｏ サイト上に画像ファイルが追加される。そして、ステップ＃２１に戻って図１０の画像一覧画面４０が表示される。また、ステップ＃２２、＃２３で戻るボタン６３を選択するとアップロードが行われずにステップ＃２１に戻って画像一覧画面４０が表示される。また、終了ボタン６５を選択すると画像形成プログラムが終了する。
【００２４】
画像一覧画面４０のイベント監視状態（ステップ＃２１）から削除ボタン４９が選択されると、ステップ＃２５に移行して画像ファイルの削除が行われる。リストボックス４１に表示された各画像５２にはファイル名５２ａ及びチェックボックス５２ｂが付記される。チェックボックス５２ｂに予めチェックされた画像ファイルが削除ボタン４９の選択によりＷｅｂ Ｐｈｏｔｏ サイト上から削除される。
【００２５】
画像一覧画面４０のイベント監視状態（ステップ＃２１）から表示ボタン４３を選択すると、ステップ＃２６に移行する。ステップ＃２６では、一画面の画像表示枚数がコンボボックス４２により指定した枚数に変更される。前ページボタン４６または次ページボタン４７を選択すると、それぞれステップ＃２７、＃２８に移行して、前ページまたは次ページの画面が表示される。また、戻るボタン５０を選択すると、前述の図２の「フォルダー選択」処理が呼出される。
【００２６】
画像一覧画面４０のイベント監視状態（ステップ＃２１）からリストボックス４１内の画像５２を選択すると、ステップ＃３０に移行して図４の「コメント掲示板」処理が呼出される。画像５２の選択はマウスのクリックやダブルクリック等により行われる。尚、終了ボタン５１を選択すると画像形成プログラムが終了する。
【００２７】
「コメント掲示板」処理では、図１２に示すようなコメント掲示板画面７０が表示される。Ｗｅｂ Ｐｈｏｔｏ サイトはインターネットのサーバー上に設けられるため、誰でもアクセスして同じ画像ファイルを閲覧することができる。そして、各ユーザーが表示された画像についてのコメントをサーバーに送信することによってコメントのデータベースがＷｅｂ Ｐｈｏｔｏ サイトの掲示板上に公開されるようになっている。
【００２８】
コメント掲示板画面７０には、選択された画像ファイルの全体画像７３、コメントを入力するテキストボックス７１、掲示板に公開されたコメントの一覧を表示するリストボックス７２が表示される。ユーザーはリストボックス７２のスクロールバー７２ａの操作によりスクロールしてコメントを閲覧することができる。
【００２９】
図４において、ステップ＃３１ではイベントが発生したか否かが監視され、イベントが発生すると各イベントに対応した処理が行われる。全体画像７３の一部分をマウス等のポインティングデバイスによってドラッグすると、ステップ＃３２に移行して、既に指定領域７３ａが表示されている場合にはそれを消去するとともに指定した範囲が指定領域７３ａとして全体画像７３内に表示される。そして、ステップ＃３１に戻ってイベント監視状態になる。
【００３０】
これにより、所望の指定領域７３ａ毎に画像を閲覧できるとともに、指定領域７３ａ毎にコメントを管理できるようになっている。尚、本実施形態の領域指定の方法はマウス等のドラッグにより矩形領域の２頂点を指定するようになっている。多角形の各頂点を順次クリックすること等の他の方法により領域指定してもよい。
【００３１】
イベント監視状態（ステップ＃３１）から追加ボタン７４を選択すると、ステップ＃３３に移行する。ステップ＃３３では、表示された指定領域７３ａの範囲が取得され、ステップ＃３４でテキストボックス７１内のテキスト（文字データ）から成るコメントが取得される。
【００３２】
そして、ステップ＃３５で指定領域７３ａ及びコメントが画像データに含まれてサーバーに保存され、該指定領域７３ａに関連するコメントとして掲示板に追加される。その後、ステップ＃３１に戻ってイベント監視状態になる。尚、指定領域７３ａが表示されていない場合は全体画像７３に対するコメントとして掲示板に追加される。
【００３３】
イベント監視状態（ステップ＃３１）からリストボックス７２内のコメントをマウスのクリック等により指示すると、ステップ＃３６に移行する。ステップ＃３６では指示されたコメントに対応する指定領域７３ａを表示し、ステップ＃３１に戻ってイベント監視状態になる。この操作後に上記の追加ボタン７４を選択すると、表示された指定領域７３ａに関連するコメントとして処理される。尚、コメントが全体画像７３に対するものである場合には指定領域７３ａが表示されない。
【００３４】
また、リストボックス７２内の各コメントの先頭にはチェックボックス７２ｂが設けられている。チェックボックス７２ｂをチェックした後に上記の追加ボタン７４の選択操作を行うと、チェックされたコメントに対する返答として掲示板に公開される。
【００３５】
イベント監視状態（ステップ＃３１）からクリアボタン７５を選択すると、ステップ＃３７に移行してテキストボックス７１内の入力データが消去される。削除ボタン７６を選択すると、ステップ＃３８に移行してチェックボックス７２ｂにチェックされたユーザー本人のコメントを掲示板上から削除する。その後、ステップ＃３１に戻ってイベント監視状態になる。
【００３６】
イベント監視状態（ステップ＃３１）から戻るボタン７８を選択すると前述の図３に示す「画像一覧」処理が呼出され、終了ボタン７９を選択すると画像形成プログラムが終了する。また、プリントボタン７７を選択すると、ステップ＃４０に移行して図５に示す「印刷設定」処理が呼出される。
【００３７】
「印刷設定」処理では図１３に示す印刷コメント選択画面８０が表示される。印刷コメント選択画面８０には、コメントを一覧表示するリストボックス８１が設けられる。ユーザーはリストボックス８１をスクロールバー８１ａの操作によりスクロールしてコメントを閲覧し、印刷対象のコメントを選択することができる。
【００３８】
図５において、ステップ＃５１ではイベントが発生したか否かが監視され、イベントが発生すると各イベントに対応した処理が行われる。各コメントの先頭に配されるチェックボックス８２をチェックして所望のコメントを選択するとステップ＃５２に移行する。ステップ＃５２では選択したコメントが印刷対象に追加され、ステップ＃５１に戻ってイベント監視状態になる。
【００３９】
リストボックス８１の下方には戻るボタン８３及び「次へ」ボタン８４が配されている。イベント監視状態（ステップ＃５１）から戻るボタン８３を選択するとステップ＃５３で前述の図４に示す「コメント掲示板」処理が呼出される。終了ボタン８７を選択すると画像形成プログラムが終了する（ステップ＃５５）。また、「次へ」ボタン８４が選択されると、図６に示す「プレビュー表示」処理が呼出される。
【００４０】
「プレビュー表示」処理では図１４に示す印刷プレビュー画面９０が表示される。印刷プレビュー画面９０は印刷媒体に印刷されるイメージ通りのレイアウトを表示する。印刷プレビュー画面９０では上部に画像ファイルの全体画像９１が表示される。
【００４１】
全体画像９１内には指定領域９１ａ〜９１ｆ（図１２の７３ａに対応する。）が表示される。指定領域９１ａ〜９１ｆはそれぞれ枠線が異なる色で表示される。例えば、黒、青、赤、緑、黄、ピンク、紫の色が使用可能になっており、指定領域９１ａ〜９１ｆにこれらの色が順に割り当てられる。
【００４２】
全体画像９１の下方には「印刷設定」処理で選択されたコメント９２ａ〜９２ｆが表示される。各指定領域９１ａ〜９１ｆに対応するコメント９２ａ〜９２ｆは各指定領域９１ａ〜９１ｆの枠線と同じ色で表示される。例えば、指定領域９１ａに対応するコメント９２ａは黒で表示される。
【００４３】
同様に、コメント９２ｂ、９２ｃ、９２ｄ、９２ｅ、９２ｆがそれぞれ青、赤、緑、黄、ピンクで表示される。これにより、指定領域とコメントとの対応関係をユーザーが容易に把握することができ、Ｗｅｂ Ｐｈｏｔｏ サイトの使用勝手を向上することができる。
【００４４】
また、指定領域の枠線に重なった全体画像の各画素が枠線と同様の色である場合は指定領域の識別が困難になる。このため、各画素の平均色相と枠線の平均色相との差が所定値以下の場合には次の使用可能色を割り当てるようになっている。
【００４５】
尚、指定領域の数が使用可能色の数よりも多い場合は複数のページに振り分けてもよい。例えば使用可能色が７色で、指定領域が８箇所以上の場合は、第１ページに７箇所の指定領域を表示して、第２ページに残りの１箇所以上の指定領域を表示することによりコメントとの対応の誤認を防止できる。
【００４６】
図６において、ステップ＃４３ではイベントが発生したか否かが監視され、イベントが発生すると各イベントに対応した処理が行われる。前ページボタン９３及び次ページボタン９４が選択されると、それぞれステップ＃４４、＃４５で前ページまたは次ページの印刷イメージが表示される。そして、イベント監視状態に戻る。
【００４７】
イベント監視状態（ステップ＃４３）から印刷実行ボタン９５が選択されると、ステップ＃４６に移行して印刷プレビュー画面９０と同じイメージで印刷が行われる。印刷が終了すると、ステップ＃４７で前述の図４に示す「コメント掲示板処理」が呼出される。また、戻るボタン９６が選択されると前述の図５に示す「印刷設定」処理が呼出され、終了ボタン９７が選択されると画像形成プログラムが終了する。
【００４８】
本実施形態によると、指定領域９１ａ〜９１ｆの枠線と、指定領域９１ａ〜９１ｆに対応するコメント９２ａ〜９２ｆとを同じ色で表示または印刷するので、指定領域とコメントとの対応関係が明確になる。従って、指定領域に対応するコメントを容易に把握することができユーザーの使用勝手を向上させることができる。また、印刷によりコンピュータのない環境でも多数の指定領域に対応するコメントの内容を容易に把握することができユーザーの利便性を向上させることができる。
【００４９】
尚、指定領域の枠線の色とコメントの色とを同じにするだけでなく、指定領域の表示属性と該指定領域に対応するコメントの表示属性を同じにすることにより同様の効果を得ることができる。
【００５０】
指定領域の表示属性として、指定領域内の画像を変換する際に使用する色、指定領域の枠線の色・線種・太さ、指定領域の形状、指定領域に付加される記号・文字・図形の色や内容等が挙げられる。コメント（文字データ）の表示属性として、文字データの色、文字データに付加される記号・文字・図形の色や内容等が挙げられる。上記の内で指定領域の表示属性の少なくとも１つとコメントの表示属性の少なくとも１つを一致させればよい。
【００５１】
例えば、指定領域内の画像に所定の混合色を混合して色調を変換し、該混合色によりコメントを表示することができる。例として、指定領域内の画像に赤色を混合して赤みを帯びた画像に変換し、該指定領域に対応するコメントの色を赤にするとよい。また、指定領域内の画像をコメントと同じ色でハッチングを施した画像に変換してもよい。
【００５２】
また、図１５に示すように、指定領域９１ｆの形状と、コメント９２ｆの先頭に付加された記号Ａの形状（この場合は楕円形）とを同じにしてもよい。図１６に示すように、指定領域９１ｆに付加された文字Ｂ１と、コメント９２ｆの先頭に付加された文字Ｂ２とを同じにしてもよい。図１７に示すように、指定領域９１ｆの枠線の線種と、コメント９２ｆの先頭に付加された記号Ｃの内容とを同じにしてもよい。何れも上記と同様の効果を得ることができる。尚、図１５〜図１７において図１４と同じ部分には同じ符号を付している。
【００５３】
次に、図１８は第２実施形態の画像形成プログラムの印刷プレビュー画面９０を示している。印刷プレビュー画面９０以外の部分は図１〜図１４に示す第１実施形態と同様であり、図１４と同じ部分には同じ符号を付している。本実施形態の印刷プレビュー画面９０は全体画像９１が略中央に配置される。第１実施形態と同様に、全体画像９１内の指定領域９１ａ〜９１ｇの表示属性が、対応するコメントの表示属性と同じになっている。
【００５４】
全体画像９１の周囲にはコメントの表示領域が左上部９０ａ、左下部９１ｂ、右上部９１ｃ、右下部９１ｄに区分けされている。そして、全体画像９１内の左上に配された指定領域９１ａ、９１ｃに対応するコメントが左上部９０ａに配される。
【００５５】
同様に、全体画像９１内の左下に配された指定領域９１ｂに対応するコメントが左下部９０ｂに配される。全体画像９１内の右上に配された指定領域９１ｄ、９１ｇに対応するコメントが右上部９０ｃに配される。全体画像９１内の右下に配された指定領域９１ｅ、９１ｆに対応するコメントが右下部９０ｄに配される。従って、指定領域とコメントとの対応関係が第１実施形態よりも更に明確になり、ユーザーの使用勝手をより向上させることができる。
【００５６】
尚、第１、第２実施形態において、指定領域７３ａ（図１２参照）の指定や、コメントの入力等を「コメント掲示板」処理（図４参照）により行っているが、「コメント掲示板」処理を省いて指定領域及びコメントが既に書き込まれた画像データのファイルを第１、第２実施形態と同様の画像形成プログラムにより表示或いは印刷してもよい。
【００５７】
また、第１、第２実施形態では画像形成プログラムをインターネットのサーバー上に設けているが、ローカルドライブにインストールしてスタンドアロンで使用することも可能である。
【００５８】
【発明の効果】
本発明によると、文字データの表示属性を対応する指定領域の表示属性に応じて可変しているので、指定領域と文字データとの対応関係が明確になる。従って、一部の領域に対応するコメントを容易に把握することができユーザーの使用勝手を向上させることができる。また、印刷によりコンピュータのない環境でも多数の指定領域に対応するコメントの内容を容易に把握することができユーザーの利便性を向上させることができる。
【００５９】
また本発明によると、指定領域の枠線色等の表示属性と文字データの色等の表示属性とを同じにしているので、指定領域と文字データの対応関係を容易に明確にすることができる。
【００６０】
また本発明によると、全体画像の周囲であって指定領域の近傍に、該指定領域に対応する文字データを配置しているので、指定領域と文字データの対応関係をより明確にすることができる。
【図面の簡単な説明】
【図１】は、本発明の第１実施形態の画像形成プログラムを示すフローチャートである。
【図２】は、本発明の第１実施形態の画像形成プログラムのフォルダー選択処理を示すフローチャートである。
【図３】は、本発明の第１実施形態の画像形成プログラムの画像一覧処理を示すフローチャートである。
【図４】は、本発明の第１実施形態の画像形成プログラムのコメント掲示板処理を示すフローチャートである。
【図５】は、本発明の第１実施形態の画像形成プログラムの印刷設定処理を示すフローチャートである。
【図６】は、本発明の第１実施形態の画像形成プログラムのプレビュー表示処理を示すフローチャートである。
【図７】は、本発明の第１実施形態の画像形成プログラムのログイン画面を示す図である。
【図８】は、本発明の第１実施形態の画像形成プログラムのユーザー登録画面を示す図である。
【図９】は、本発明の第１実施形態の画像形成プログラムのフォルダー選択画面を示す図である。
【図１０】は、本発明の第１実施形態の画像形成プログラムの画像一覧画面を示す図である。
【図１１】は、本発明の第１実施形態の画像形成プログラムのファイル指定画面を示す図である。
【図１２】は、本発明の第１実施形態の画像形成プログラムのコメント掲示板画面を示す図である。
【図１３】は、本発明の第１実施形態の画像形成プログラムの印刷設定画面を示す図である。
【図１４】は、本発明の第１実施形態の画像形成プログラムのプレビュー表示画面を示す図である。
【図１５】は、本発明の第１実施形態の画像形成プログラムの他のプレビュー表示画面を示す図である。
【図１６】は、本発明の第１実施形態の画像形成プログラムの他のプレビュー表示画面を示す図である。
【図１７】は、本発明の第１実施形態の画像形成プログラムの他のプレビュー表示画面を示す図である。
【図１８】は、本発明の第２実施形態の画像形成プログラムのプレビュー表示画面を示す図である。
【符号の説明】
１０    ログイン画面
２０    ユーザー登録画面
３０    フォルダー選択画面
４０    画像一覧画面
６０    ファイル選択画面
７０    コメント掲示板画面
７３、９１  全体画像
７３ａ、９１ａ〜９１ｇ  指定領域
８０    印刷設定画面
９０    印刷プレビュー画面
９０ａ  左上部
９０ｂ  左下部
９０ｃ  右上部
９０ｄ  右下部
９２ａ〜９２ｆ  コメント
【図１】
0003705201.tif 000002
【図２】
0003705201.tif 000003
【図３】
0003705201.tif 000004
【図４】
0003705201.tif 000005
【図５】
0003705201.tif 000006
【図６】
0003705201.tif 000007
【図７】
0003705201.tif 000008
【図８】
0003705201.tif 000009
【図９】
0003705201.tif 000010
【図１０】
0003705201.tif 000011
【図１１】
0003705201.tif 000012
【図１２】
0003705201.tif 000013
【図１３】
0003705201.tif 000014
【図１４】
0003705201.tif 000015
【図１５】
0003705201.tif 000016
【図１６】
0003705201.tif 000017
【図１７】
0003705201.tif 000018
【図１８】
0003705201.tif 000019